(57)【特許請求の範囲】
【請求項１】
デジタル放送を受信する処理を実行するデジタル放送受信実行部と、
前記デジタル放送受信実行部を制御し、前記デジタル放送受信実行部が稼働している状態を示す稼働状態、及び前記デジタル放送受信実行部で必要とされる情報の状態を示す設定状態を含む稼働設定状態を管理する放送受信制御部と、
電源装置と、
前記電源装置を制御し、前記電源装置が供給する電力の状態を示す電源状態を管理する電源制御部と、
ネットワークとの間で情報を送受信する通信部と、
前記通信部が前記ネットワークに接続されている他の装置からの要求を受信した場合に、前記稼働設定状態及び前記電源状態を示す装置状態情報を生成し、前記通信部を介して、当該装置状態情報を当該他の装置に送る処理を行う装置状態取得処理部と、を備え、
前記設定状態は、前記デジタル放送受信実行部がロゴ情報を取得済みであるか否かを含むこと
を特徴とするデジタル放送受信装置。
【請求項２】
前記電源状態は、オン状態、オフ状態又はスタンバイ状態を示すこと
を特徴とする請求項１に記載のデジタル放送受信装置。
【請求項３】
前記設定状態は、前記デジタル放送受信実行部がチャンネルスキャン情報を取得済みであるか否かを含むこと
を特徴とする請求項１又は２に記載のデジタル放送受信装置。
【請求項４】
前記設定状態は、前記デジタル放送受信実行部がユーザによって変更されたユーザ設定を有するか否かを含むこと
を特徴とする請求項１から３の何れか一項に記載のデジタル放送受信装置。
【請求項５】
前記設定状態は、前記デジタル放送受信実行部が番組情報を取得済みであるか否かを含むこと
を特徴とする請求項１から４の何れか一項に記載のデジタル放送受信装置。
【請求項６】
前記装置状態取得処理部は、前記ネットワークに接続されている他の装置から、当該他の装置において生成された装置状態情報を取得すること
を特徴とする請求項１から５の何れか一項に記載のデジタル放送受信装置。
【請求項７】
前記放送受信制御部は、前記装置状態取得処理部により取得された装置状態情報に基づいて、前記デジタル放送受信実行部を制御するために必要な設定情報を取得すること
を特徴とする請求項６に記載のデジタル放送受信装置。
【請求項８】
前記デジタル放送受信実行部は、記憶部を備えており、
前記放送受信制御部は、前記取得された設定情報の更新状態を示す更新情報を前記記憶部に記憶させること
を特徴とする請求項７に記載のデジタル放送受信装置。
【請求項９】
前記デジタル放送受信実行部は、記憶部を備えており、
前記記憶部には、前記ネットワークに接続されている他の装置のアドレス情報と、当該他の装置に対して装置状態取得要求を送信する順序を特定するための優先度とを含む種別検知情報が記憶されており、
前記装置状態取得処理部は、前記優先度で特定される順番に従って、前記装置状態取得要求を送信する他の装置を特定し、当該特定された他の装置に対して、前記装置状態取得要求を送ることで、当該特定された他の装置において生成された装置状態情報を取得すること
を特徴とする請求項６から８の何れか一項に記載のデジタル放送受信装置。
【請求項１０】
前記装置状態取得処理部は、
前記装置状態取得要求を送信した他の装置から、当該他の装置において生成された装置状態情報を取得することができた場合には、当該他の装置の優先度を高くし、
前記装置状態取得要求を送信した他の装置から、当該他の装置において生成された装置状態情報を受けることができなかった場合には、当該他の装置の優先度を低くすること
を特徴とする請求項９に記載のデジタル放送受信装置。
【請求項１１】
前記放送受信制御部は、前記通信部が前記ネットワークより画像データを受信した場合に、受信された画像データと、基準となる画像データとの差異を検出し、
前記装置状態取得処理部は、前記放送受信制御部が前記受信された画像データと前記基準となる画像データとの差異が検出された場合に、前記ネットワークに接続されている他の装置から、当該他の装置において生成された装置状態情報を取得し、
前記放送受信制御部は、前記取得された装置状態情報を参照して、前記受信された画像データに対応する画像を表示することのできる他の装置に対して、前記通信部を介して、前記受信された画像データ及び前記受信された画像データの表示要求を送る処理を行うこと
を特徴とする請求項６から１０の何れか一項に記載のデジタル放送受信装置。
【請求項１２】
前記放送受信制御部は、前記通信部が前記ネットワークより画像データを受信した場合に、受信された画像データと、基準となる画像データとの差異を検出し、
前記装置状態取得処理部は、前記放送受信制御部が前記受信された画像データと前記基準となる画像データとの差異を検出した場合に、前記ネットワークに接続されている他の装置から、当該他の装置において生成された装置状態情報を取得し、
前記放送受信制御部は、前記取得された装置状態情報を参照して、前記受信された画像データを保存することのできる他の装置に対して、前記通信部を介して、前記受信された画像データ及び前記受信された画像データの保存要求を送る処理を行うこと
を特徴とする請求項６から１０の何れか一項に記載のデジタル放送受信装置。
【請求項１３】
デジタル放送を受信する処理を実行するデジタル放送受信実行部と、
前記デジタル放送受信実行部を制御し、前記デジタル放送受信実行部が稼働している状態を示す稼働状態、及び前記デジタル放送受信実行部で必要とされる情報の状態を示す設定状態を含む稼働設定状態を管理する放送受信制御部と、
電源装置と、
前記電源装置を制御し、前記電源装置が供給する電力の状態を示す電源状態を管理する電源制御部と、
ネットワークとの間で情報を送受信する通信部と、
装置状態取得処理部と、を備え、前記ネットワークに接続された複数のデジタル放送受信装置が行う情報処理方法であって、
前記複数のデジタル放送受信装置のうちの１のデジタル放送受信装置の装置状態取得処理部が、当該１のデジタル放送受信装置の通信部を介して、前記複数のデジタル放送受信装置のうちの他のデジタル放送受信装置に装置状態取得要求を送る過程と、
前記他のデジタル放送受信装置の装置状態取得処理部が、前記他のデジタル放送受信装置の通信部を介して、前記装置状態取得要求を取得する過程と、
前記他のデジタル放送受信装置の装置状態取得処理部が、前記稼働設定状態及び前記電源状態を示す装置状態情報を生成する過程と、
前記他のデジタル放送受信装置の装置状態取得処理部が、前記他のデジタル放送受信装置の通信部を介して、前記１のデジタル放送受信装置に前記装置状態情報を送る過程と、
前記１のデジタル放送受信装置の装置状態取得処理部が、前記１のデジタル放送受信装置の通信部を介して、前記装置状態情報を取得する過程と、を有し、
前記設定状態は、前記デジタル放送受信実行部がロゴ情報を取得済みであるか否かを含むこと
を特徴とする情報処理方法。
【請求項１４】
前記１のデジタル放送受信装置の放送受信制御部は、前記１のデジタル放送受信装置の装置状態取得処理部により取得された装置状態情報に基づいて、前記１のデジタル放送受信装置のデジタル放送受信実行部を制御するために必要な設定情報を取得する過程をさらに有すること
を特徴とする請求項１３に記載の情報処理方法。
【発明の詳細な説明】
【技術分野】
【０００１】
本発明は、デジタル放送受信装置及びデジタル放送受信装置が行う情報処理方法に関する。
【背景技術】
【０００２】
ネットワークは、相互に通信するためのソフトウェア（例えば、特定のプロトコルに従った処理を行うプログラム及びドライバプログラム等）を備えた少なくとも２台の装置が、ハードウェア（例えば、ネットワークケーブル、ハブ、スイッチ、特定の周波数の電波及び赤外線等）で接続されることにより構成される。これらの装置間では、相互に通信を行うことで、一方から他方に対してなんらかの要求を行い、他方が要求に応じた処理を行うこと、及び、相互にデータを共有することが可能になる。
【０００３】
特許文献１には、ネットワーク内の装置の電源を管理して、当該装置を構成する部分への電力供給を停止等させるとともに、キー入力等に応じて、当該部分への電力供給を再開させるサーバが開示されている。
【先行技術文献】
【特許文献】
【０００４】
【特許文献１】特開２００５−３１２０１１号公報
【発明の概要】
【発明が解決しようとする課題】
【０００５】
特許文献１で開示された技術では、ネットワーク内の装置の電源を管理するために、当該装置に対して、パワーマネジメント要求を送信するサーバが必要となる。言い換えると、ネットワークを構成する装置の他に、当該装置を管理するためのサーバが別途必要となる。
そこで、本発明は、ネットワークに接続された装置が、ネットワークに接続された他の装置の状態に基づいて、自身の管理を行うことができるようにすることを目的とする。
【課題を解決するための手段】
【０００６】
本発明の１態様に係るデジタル放送受信装置は、デジタル放送を受信する処理を実行するデジタル放送受信実行部と、前記デジタル放送受信実行部を制御し、前記デジタル放送受信実行部が稼働している状態を示す稼働状態、及び前記デジタル放送受信実行部で必要とされる情報の状態を示す設定状態を含む稼働設定状態を管理する放送受信制御部と、電源装置と、前記電源装置を制御し、前記電源装置が供給する電力の状態を示す電源状態を管理する電源制御部と、ネットワークとの間で情報を送受信する通信部と、前記通信部が前記ネットワークに接続されている他の装置からの要求を受信した場合に、前記稼働設定状態及び前記電源状態を示す装置状態情報を生成し、前記通信部を介して、当該装置状態情報を当該他の装置に送る処理を行う装置状態取得処理部と、を備え、前記設定状態は、前記デジタル放送受信実行部がロゴ情報を取得済みであるか否かを含むことを特徴とする。
【発明の効果】
【０００７】
本発明の１態様によれば、ネットワークに接続された装置が、ネットワークに接続された他の装置の状態に基づいて、自身の管理を行うことができる。
【図面の簡単な説明】
【０００８】
【図１】実施の形態１及び２に係るデジタル放送受信装置の構成を概略的に示す機能ブロック図である。
【図２】実施の形態１及び２に係る制御部の構成を概略的に示す機能ブロック図である。
【図３】実施の形態１において、デジタル放送受信装置が、他のデジタル放送受信装置が接続されているネットワークに、新たに接続された場合の処理を示すシーケンス図である。
【図４】実施の形態１におけるネットワークシステムを示す概略図である。
【図５】実施の形態１におけるデバイス情報の構成を示す概略図である。
【図６】実施の形態１における種別検知情報の一例を示す概略図である。
【図７】実施の形態１における装置状態情報の一例を示す概略図である。
【図８】実施の形態１において、デジタル放送受信装置において装置状態取得要求が受信された場合に、デジタル放送受信装置が行う処理を示すフローチャートである。
【図９】実施の形態１において、デジタル放送受信装置が、装置状態取得要求を送信し、装置状態情報を受信する処理を示すフローチャートである。
【図１０】実施の形態１におけるチャンネルスキャン情報の一例を示す概略図である。
【図１１】実施の形態１におけるチャンネルスキャン情報の一例を示す概略図である。
【図１２】実施の形態１におけるチャンネルスキャン情報の一例を示す概略図である。
【図１３】実施の形態１におけるユーザ設定情報の一例を示す概略図である。
【図１４】実施の形態１における更新情報の構成を示す概略図である。
【図１５】実施の形態２におけるネットワークシステムを示す概略図である。
【図１６】実施の形態２における種別検知情報の構成を示す概略図である。
【発明を実施するための形態】
【０００９】
実施の形態１．
図１は、実施の形態１に係るデジタル放送受信装置１００の構成を概略的に示す機能ブロック図である。デジタル放送受信装置１００は、チューナ１０１と、復調部１０２と、デマルチプレクサ１０３と、デコーダ１０４と、エンコーダ１０５と、メモリ１０６と、記録装置１０７と、ＣＰＵ１０８と、電源装置１０９と、通信部としてのネットワークカード１１０と、インターフェース（以下、Ｉ／Ｆという）１１１と、これらを相互に接続するバス１１２とを備える。また、チューナ１０１、復調部１０２、デマルチプレクサ１０３、デコーダ１０４、エンコーダ１０５、メモリ１０６、記録装置１０７及びＣＰＵ１０８は、デジタル放送を受信する処理を実行するデジタル放送受信実行部１１３を構成する。なお、デジタル放送受信装置１００は、エンコーダ１０５を備えてなくてもよく、このような場合には、デジタル放送受信実行部１１３は、エンコーダ１０５を除いた部分で構成される。さらに、図１の括弧内の符号は、実施の形態２における構成を示している。
【００１０】
チューナ１０１は、アンテナ（図示せず）又はネットワークカード１１０で受信された受信信号から電気信号を生成して、この電気信号を復調部１０２に与える。
復調部１０２は、チューナ１０１より与えられた電気信号に対して復調処理を行い、ＴＳ（Ｔｒａｎｓｐｏｒｔ  Ｓｔｒｅａｍ）を生成して、このＴＳをデマルチプレクサ１０３に与える。
デマルチプレクサ１０３は、復調部１０２より与えられたＴＳに対しデマルチプレクス処理を行う。例えば、ＴＳからＰＳＩ（Ｐｒｏｇｒａｍ  Ｓｐｅｃｉｆｉｃ  Ｉｎｆｏｒｍａｔｉｏｎ：番組特定情報）及びＳＩ（Ｓｅｒｖｉｃｅ  Ｉｎｆｏｒｍａｔｉｏｎ：番組配列情報）を分離し、これらにより番組情報を生成して、記録装置１０７に記録させる。また、番組情報に基づいて、ＴＳ中の映像ＴＳパケット及び音声ＴＳパケットのＰＩＤ（Ｐａｃｋｅｔ  Ｉｄｅｎｔｉｆｉｅｒ：ＴＳパケット識別子）を抽出し、抽出されたＰＩＤに基づいて、ＴＳをフィルタリングして映像ＴＳパケット及び音声ＴＳパケットを分離して、これらの映像ＴＳパケット及び音声ＴＳパケットをデコーダ１０４に与える。
デコーダ１０４は、デマルチプレクサ１０３より与えられた映像パケット及び音声パケットに含まれている映像データ及び音声データをそれぞれデコードして、映像信号及び音声信号を生成し、ＣＰＵ１０８の指示に応じて、これらの映像信号及び音声信号をＣＰＵ１０８又はエンコーダ１０５に与える。例えば、デコーダ１０４は、静止画デコーダ、動画デコーダ及び音声デコーダを含むものとする。
また、デコーダ１０４は、記録装置１０７に記録されているエンコード済み映像データ及びエンコード済み音声データをそれぞれデコードして映像信号及び音声信号を生成し、これらの映像信号及び音声信号をＣＰＵ１０８に与える。
エンコーダ１０５は、デコーダ１０４から与えられた映像信号及び音声信号をエンコードして、エンコード済み映像データ及びエンコード済み音声データを生成し、これらのエンコード済み映像データ及びエンコード済み音声データを記録装置１０７に記録させる。
【００１１】
メモリ１０６及び記録装置１０７は、デジタル放送受信装置１００での処理に必要な情報を記憶する記憶部である。
例えば、メモリ１０６は、ＣＰＵ１０８での処理に必要なソフトウェア及び一時データを記憶する。また、記録装置１０７は、エンコーダ１０５より与えられたエンコード済み映像データ及びエンコード済み音声データ、並びに、デマルチプレクサ１０３で分離された情報で生成された番組情報を記憶する。また、記録装置１０７は、ＣＰＵ１０８で実行するソフトウェアを記憶する。
ＣＰＵ１０８は、記録装置１０７に記憶されているソフトウェアを実行することにより、制御部として機能する。
【００１２】
図２は、ＣＰＵ１０８が記録装置１０７に記憶されているソフトウェアを実行することにより実現される制御部１２０の構成を概略的に示す機能ブロック図である。制御部１２０は、画面制御部１２１と、放送受信制御部１２２と、稼働設定状態取得部１２３と、電源制御部１２４と、電源状態取得部１２５と、装置状態処理部１２６と、種別処理部１２７とを備える。ここで、稼働設定状態取得部１２３、電源状態取得部１２５及び装置状態処理部１２６は、装置状態取得処理部１２８を構成する。なお、図２の括弧内の符号は、実施の形態２における構成を示す。
【００１３】
画面制御部１２１は、放送受信制御部１２２からの指示に応じて、放送受信制御部１２２から与えられる映像信号を、Ｉ/Ｆ１１１を介して、モニタ１３０に出力する処理を実行する。
放送受信制御部１２２は、チューナ１０１、復調部１０２、デマルチプレクサ１０３、デコーダ１０４、エンコーダ１０５、メモリ１０６及び記録装置１０７等を制御して、デジタル放送を受信し、映像及び音声を出力する処理を実行する。また、放送受信制御部１２２は、稼働設定状態取得部１２３からの要求に応じて、デジタル放送受信装置１００の各部の稼働設定状態を稼働設定状態取得部１２３に通知する。ここで、稼働設定状態は、稼働状態と設定状態とを含む。稼働状態は、例えば、チューナ１０１が使用されているか否か、復調部１０２が使用されているか否か、デマルチプレクサ１０３が使用されているか否か、デコーダ１０４が使用されているか否か、エンコーダ１０５が使用されているか否か、メモリ１０６の記憶容量が予め定められている閾値を超えているか否か、及び、記録装置１０７の記憶容量が予め定められている閾値を超えているか否か等のように、デジタル放送受信実行部１１３が稼働している状態を示す。また、設定状態は、チャンネルスキャンが完了し、チャンネルスキャン情報が取得されているか否か、ユーザ設定が初期設定から変更されているか否か、ロゴ情報の取得が完了しているか否か等のように、デジタル放送受信実行部１１３で必要とされる情報の状態を示す。
また、放送受信制御部１２２は、他の装置から受信された装置状態情報に基づいて、自装置での処理に必要な情報を他の装置から取得する処理を行う。
さらに、放送受信制御部１２２は、ネットワークカード１１０が他の装置から情報の取得要求を受信した場合に、要求された情報を送信する処理を実行する。
稼働設定状態取得部１２３は、放送受信制御部１２２より与えられた稼働設定状態を装置状態処理部１２６に与える。
【００１４】
電源制御部１２４は、電源装置１０９を制御することにより、デジタル放送受信装置１００の各部への電力の供給を制御する。また、電源制御部１２４は、電源状態取得部１２５からの要求に応じて、電源装置１０９の電源状態を電源状態取得部１２５に通知する。ここで、電源状態は、電源オン、電源オフ及びスタンバイの何れかを示す情報である。例えば、スタンバイは、デジタル放送受信装置１００の電源はオンにされているが、ユーザや他の装置からの入力待ちの状態である。スタンバイでは、デジタル放送受信装置１００の特定の部分への電力の供給が停止され、省電力状態となっている。
電源状態取得部１２５は、電源制御部１２４より与えられた電源状態を装置状態処理部１２６に与える。
【００１５】
装置状態処理部１２６は、例えば、デジタル放送受信装置１００がネットワークに接続された際に、ネットワークカード１１０を介して、デバイス情報を送受信する処理を制御する。また、装置状態処理部１２６は、ネットワークカード１１０を介して、装置状態取得要求を送信する処理を制御する。さらに、装置状態処理部１２６は、ネットワークカード１１０が装置状態取得要求を受信した際に、自装置の装置状態を通知する処理を制御する。なお、装置状態処理部１２６が制御する処理については、図８及び図９を用いて詳細に説明する。
種別処理部１２７は、ネットワークカード１１０がデバイス情報を受信した場合に、このデバイス情報に含まれている情報を、記録装置１０７に記憶されている種別検知情報に登録する処理を行う。また、種別処理部１２７は、ネットワークカード１１０がデバイス情報又は装置状態取得要求を受信した場合に、受信されたデバイス情報又は装置状態取得要求を検証する。
【００１６】
図１に戻り、電源装置１０９は、デジタル放送受信装置１００を構成する各部に電力を供給する。
ネットワークカード１１０は、ネットワークを介した通信を行う。例えば、ネットワークは、宅内ネットワークである。宅内ネットワークには、家庭内ＬＡＮ（Ｌｏｃａｌ  Ａｒｅａ  Ｎｅｔｗｏｒｋ）の他、ＳＯＨＯ（Ｓｍａｌｌ  Ｏｆｆｉｃｅ／Ｈｏｍｅ  Ｏｆｆｉｃｅ）及び企業内ＬＡＮ等、特定のエリア内で閉じたＬＡＮが含まれる。
Ｉ／Ｆ１１１は、外部装置、例えば、モニタ１３０を接続するためのインターフェースである。
【００１７】
図３は、例えば、図４に示すように、デジタル放送受信装置１００Ａが、他のデジタル放送受信装置１００Ｂが接続されているネットワーク１３１に、新たに接続された場合の処理を示すシーケンス図である。なお、図３及び図４に示すデジタル放送受信装置１００Ａ及びデジタル放送受信装置１００Ｂは、ともに図１に示されているデジタル放送受信装置１００と同様に構成されている。
【００１８】
デジタル放送受信装置１００Ａがネットワーク１３１に接続されると、デジタル放送受信装置１００Ａの装置状態処理部１２６は、ネットワーク１３１への接続処理を実行する（Ｓ１０）。例えば、デジタル放送受信装置１００Ａの装置状態処理部１２６は、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）に従って、ネットワーク１３１に接続されている、ＤＨＣＰサーバ機能を有する装置（図示せず）からＩＰアドレスを取得する。このＩＰアドレスは、ローカルなネットワーク内で一意に決定される通信アドレスである。
【００１９】
次に、デジタル放送受信装置１００Ａの装置状態処理部１２６は、ステップＳ１０で取得されたＩＰアドレスを用いて、自装置のデバイス情報をネットワーク１３１にブロードキャストで送信する処理を行う（Ｓ１１）。デバイス情報を送信する際には、装置状態処理部１２６は、例えば、ＵＰｎＰ（Ｕｎｉｖｅｒｓａｌ  Ｐｌｕｇ  ａｎｄ  Ｐｌａｙ）におけるＳＳＤＰ（Ｓｉｍｐｌｅ  Ｓｅｒｖｉｃｅ  Ｄｉｓｃｏｖｅｒ  Ｐｒｏｔｏｃｏｌ）に従えばよい。ここで、デバイス情報は、図５に示されるように、メーカーＩＤ、モデルＩＤ、ＭＡＣアドレス及びＩＰアドレスを含むものとする。メーカーＩＤは、自身であるデジタル放送受信装置１００の製造元を識別する識別情報であり、モデルＩＤは、自身であるデジタル放送受信装置１００の機種を識別する識別情報であり、ＭＡＣアドレスは、自身であるデジタル放送受信装置１００のＭＡＣアドレスであり、ＩＰアドレスは、自身であるデジタル放送受信装置１００のＩＰアドレスである。
【００２０】
デジタル放送受信装置１００Ａからデバイス情報を受信したデジタル放送受信装置１００Ｂでは、種別処理部１２７が、ネットワークカード１１０よりこのデバイス情報を受け取り、このデバイス情報の検証を行う（Ｓ１２）。例えば、種別処理部１２７は、受信されたデバイス情報に含まれているメーカーＩＤ及びモデルＩＤに対応する情報が、記録装置１０７に予め記憶されている場合に、ステップＳ１２での検証を成功とし、このような情報が、記録装置１０７に予め記憶されていない場合に、ステップＳ１２での検証を失敗とする。本シーケンスでは、ステップＳ１２での検証が成功したものとして説明を行うが、失敗した場合には、ステップＳ１２以降の処理は行われず、本シーケンスは終了となる。
【００２１】
次に、デジタル放送受信装置１００Ｂの種別処理部１２７は、記録装置１０７に記憶されている種別検知情報１４０に、受信されたデバイス情報に含まれているＭＡＣアドレス及びＩＰアドレスを登録する（Ｓ１３）。
【００２２】
図６は、種別検知情報１４０の一例を示す概略図である。図６に示すように、種別検知情報１４０は、テーブル形式の情報である。種別検知情報１４０は、シーケンシャル番号欄１４１と、優先度欄１４２と、ＭＡＣアドレス欄１４３と、ＩＰアドレス欄１４４とを有する。
シーケンシャル番号欄１４１は、ネットワーク１３１に接続されている装置に割り振られたシーケンシャル番号を格納する。例えば、シーケンシャル番号としては、種別検知情報１４０に登録された順番が割り振られる。
優先度欄１４２は、ＭＡＣアドレス欄１４３及びＩＰアドレス欄１４４で特定される装置に装置状態取得要求を送信する順序を特定するための優先度を格納する。なお、ステップＳ１３では、優先度欄１４２に、初期値（例えば、「１」）が格納され、この優先度は、装置状態取得要求に対する応答の有無に応じて更新される。
ＭＡＣアドレス欄１４３は、ネットワーク１３１に接続されている装置のＭＡＣアドレスが格納される。
ＩＰアドレス欄１４３は、ＭＡＣアドレス欄１４３で特定される装置のＩＰアドレスが格納される。
【００２３】
図３に戻り、次に、デジタル放送受信装置１００Ｂの装置状態処理部１２６は、自装置のデバイス情報をデジタル放送受信装置１００Ａに送信する処理を行う（Ｓ１４）。
【００２４】
デジタル放送受信装置１００Ｂからデバイス情報を受信したデジタル放送受信装置１００Ａでは、種別処理部１２７が、ネットワークカード１１０よりこのデバイス情報を受け取り、このデバイス情報の検証を行う（Ｓ１５）。ここでの処理は、ステップＳ１２と同様の処理である。なお、本シーケンスでは、ステップＳ１５での検証が成功したものとして説明を行うが、失敗した場合には、ステップＳ１５以降の処理は行われず、本シーケンスは終了となる。
【００２５】
次に、デジタル放送受信装置１００Ａの種別処理部１２７は、記録装置１０７に記憶されている種別検知情報１４０に、受信されたデバイス情報に含まれているＭＡＣアドレス及びＩＰアドレスを登録する（Ｓ１６）。ここでの処理は、ステップＳ１３と同様の処理である。
【００２６】
次に、デジタル放送受信装置１００Ａの種別処理部１２７は、種別検知情報１４０において最も優先度の高い装置（ここでは、デジタル放送受信装置１００Ｂが最も優先度が高いものとする）に、装置状態取得要求を送信する（Ｓ１７）。
【００２７】
デジタル放送受信装置１００Ａから装置状態取得要求を受信したデジタル放送受信装置１００Ｂでは、種別処理部１２７が、受信された装置状態取得要求の検証を行う（Ｓ１８）。例えば、受信された装置状態取得要求の送信元のＩＰアドレスに対応する情報が、種別検知情報１４０に登録されている場合に、ステップＳ１８での検証を成功とし、このような情報が、種別検知情報１４０に登録されていない場合に、ステップＳ１８での検証を失敗とする。本シーケンスでは、ステップＳ１８での検証が成功したものとして説明を行うが、失敗した場合には、ステップＳ１８以降の処理は行われず、本シーケンスは終了となる。
【００２８】
次に、デジタル放送受信装置１００Ｂの装置状態処理部１２６は、稼働設定状態取得部１２３に稼働設定状態を取得させ、また、電源状態取得部１２５に電源状態を取得させて、これらの状態より装置状態情報を生成する（Ｓ１９）。
【００２９】
図７は、装置状態情報１５０の一例を示す概略図である。装置状態情報１５０は、電源状態を示す電源状態情報１５１と、稼働状態を示す稼働状態情報１５２と、設定状態を示す設定状態情報１５３とを含む。なお、図７に示されている装置状態情報１５０は、装置状態情報の一例であり、装置状態情報は、図７に示されている構成とは異なる構成となっていてもよい。
電源状態情報１５１は、電源状態情報１５１に割り当てられているビットの値が、「００」のときには電源オフ、「０１」のときにはスタンバイ、及び「１０」のときには電源オンを示す。
稼働状態情報１５２は、それぞれのリソースに割り当てられているビットの値により、それぞれのリソースの稼働状態を示す。図７の例では、ＣＰＵ１０８に割り当てられているビットの値が「１」の場合には、ＣＰＵ使用率が低いことが示され、「０」の場合には、ＣＰＵ使用率が高いことを示す。また、メモリ１０６に割り当てられているビットの値が「１」の場合には、メモリの使用量が少ないことを示し、「０」の場合には、メモリの使用量が多いことを示す。デコーダ１０４に割り当てられているビットの内、動画デコーダに割り当てられているビットの値が「１」の場合には、動画デコーダの処理負荷が高いことを示し、「０」の場合には、動画デコーダの処理負荷が低いことを示す。デコーダ１０４に割り当てられているビットの内、静止画デコーダに割り当てられているビットの値が「１」の場合には、静止画デコーダの処理負荷が高いことを示し、「０」の場合には、静止画デコーダの処理負荷が低いことを示す。デコーダ１０４に割り当てられているビットの内、音声デコーダに割り当てられているビットの値が「１」の場合には、音声デコーダの処理負荷が高いことを示し、「０」の場合には、音声デコーダの処理負荷が低いことを示す。
設定状態情報１５３は、それぞれの情報に割り当てられているビットの値により、それぞれの情報の設定状態、例えば、それぞれの情報が既に設定されているか否かを示す。図７の例では、ロゴ情報に割り当てられているビットの値が、「１」の場合には、ロゴ情報が既に取得されていることを示し、「０」の場合には、ロゴ情報が未だ取得されていないことを示す。番組情報に割り当てられているビットの値が、「１」の場合には、番組情報が既に取得されていることを示し、「０」の場合には、番組情報が未だ取得されていないことを示す。ユーザ設定情報に割り当てられているビットの値が、「１」の場合には、ユーザにより、ユーザ設定の値が初期値から変更されていることを示し、「０」の場合には、ユーザにより、ユーザ設定の値が初期値から変更されていないことを示す。チャンネルスキャン情報に割り当てられているビットの値が、「１」の場合には、チャンネルスキャン情報が既に取得されていることを示し、「０」の場合には、チャンネルスキャン情報が未だ取得されていないことを示す。
【００３０】
図３に戻り、デジタル放送受信装置１００Ｂの装置状態処理部１２６は、ネットワークカード１１０を介して、生成された装置状態情報１５０を、デジタル放送受信装置１００Ａに送信する処理を行う（Ｓ２０）。
【００３１】
デジタル放送受信装置１００Ｂから装置状態情報を受信したデジタル放送受信装置１００Ａでは、放送受信制御部１２２が、受信された装置状態情報に応じた処理を実行する（Ｓ２１）。例えば、デジタル放送受信装置１０１Ａの放送受信制御部１２２は、自身の設定に必要な情報であって、未だ取得されていない情報の送信要求を、デジタル放送受信装置１０１Ｂに送信することで、このような情報をデジタル放送受信装置１０１Ｂから取得することができる。また、デジタル放送受信装置１０１Ｂにおいて、ユーザにより初期値から変更されているユーザ設定がある場合には、このようなユーザ設定を示す情報の送信要求を、デジタル放送受信装置１０１Ｂに送信することで、このようなユーザ設定を示す情報をデジタル放送受信装置１０１Ｂから取得して、このようなユーザ設定を自身にも反映させることができる。また、デジタル放送受信装置１０１Ｂの稼働状態に応じて、必要な情報を、ネットワーク１３１に接続されている他の装置（図示せず）から取得したり、必要な処理を、他の装置に依頼したり、といった制御を行うことができる。
【００３２】
図８は、デジタル放送受信装置１００において装置状態取得要求が受信された場合に、デジタル放送受信装置１００が行う処理を示すフローチャートである。
【００３３】
まず、デジタル放送受信装置１００のネットワークカード１１０が、装置状態取得要求を受信する（Ｓ３０）と、受信された装置状態取得要求は、種別処理部１２７に送られる。
【００３４】
次に、種別処理部１２７は、記録装置１０７に記憶されている種別検知情報１４０を読み出し（Ｓ３１）、受信された装置状態取得要求の検証を行う（Ｓ３２）。例えば、種別処理部１２７は、受信された装置状態取得要求の送信元のＩＰアドレスに対応する情報が、種別検知情報１４０に登録されているか否かにより、検証を行う。そして、種別処理部１２７は、検証に成功した場合（ステップＳ３２でＹｅｓ）には、ステップＳ３３の処理に進み、検証に失敗した場合（ステップＳ３２でＮｏ）には、要求元が不正なアクセス元であると判断して、処理を終了する。
【００３５】
ステップＳ３３では、装置状態処理部１２６は、稼働設定状態取得部１２３に稼働設定状態を取得させ、また、電源状態取得部１２５に電源状態を取得させることにより、装置状態を検出する。そして、装置状態処理部１２６は、検出された装置状態を示す装置状態情報１５０を生成する。
【００３６】
そして、装置状態処理部１２６は、ネットワークカード１１０を介して、生成された装置状態情報１５０を、ステップＳ３０で受信された装置状態取得要求の送信元に送信する処理を行うことで、この送信元に装置状態を通知する（Ｓ３４）。
【００３７】
図９は、デジタル放送受信装置１００が、装置状態取得要求を送信し、装置状態情報を受信する処理を示すフローチャートである。
【００３８】
まず、装置状態処理部１２６は、自身であるデジタル放送受信装置１００のＩＰアドレスを含む装置状態取得要求を生成する（Ｓ４０）。
【００３９】
次に、装置状態処理部１２６は、種別処理部１２７から、記録装置１０７に記録されている種別検知情報１４０において、優先度欄１４２に格納されている優先度が最も高い行のＩＰアドレスを受け取る。そして、装置状態処理部１２６は、ネットワークカード１１０を介して、受け取ったＩＰアドレスを宛先として、ステップＳ４０で生成された装置状態取得要求を送信する処理を行う（Ｓ４１）。
【００４０】
次に、装置状態処理部１２６は、ネットワークカード１１０が装置状態情報を受信したか否かを判断する（Ｓ４２）。そして、装置状態処理部１２６は、装置状態情報を受信した場合（ステップＳ４２でＹｅｓ）には、ステップＳ４３の処理に進み、装置状態情報を受信していない場合（ステップＳ４２でＮｏ）には、ステップＳ４４の処理に進む。
【００４１】
ステップＳ４３では、装置状態処理部１２６は、次回から優先的に装置状態取得要求を送信することができるように、装置状態情報を送信してきた装置の優先度を上げるように、種別処理部１２７に指示する。このような指示を受けた種別処理部１２７は、記録装置１０７に記録されている種別検知情報１４０において、ステップＳ４２で装置状態情報を送信してきた装置のＩＰアドレスがＩＰアドレス欄１１４に格納されている行の優先度欄１４２に格納されている優先度の値を、この優先度で示される順序が早くなるように更新する。例えば、種別処理部１２７は、この優先度の値に所定の値（例えば、「１」）を加算する。
【００４２】
一方、ステップＳ４４では、装置状態処理部１２６は、装置状態取得要求を送信してから、所定のタイムアウト時間が経過した（タイムアウト）か否かを判断する。そして、装置状態処理部１２６は、所定のタイムアウト時間が経過した場合（ステップＳ４４でＹｅｓ）には、タイムアウト回数をインクリメントして、ステップＳ４５の処理に進み、所定の時間が経過していない場合（ステップＳ４４でＮｏ）には、ステップＳ４２の処理に戻る。
【００４３】
ステップＳ４５では、装置状態処理部１２６は、同じ宛先において所定のタイムアウト時間の経過した回数が、予め規定された回数未満であるか否かを判断する。そして、装置状態処理部１２６は、所定のタイムアウト時間の経過した回数が、予め規定された回数以上である場合（ステップＳ４５でＮｏ）には、当該回数を初期値（例えば、「０」）に戻して、ステップＳ４６の処理に進み、所定のタイムアウト時間の経過した回数が、予め規定された回数未満である場合（ステップＳ４５でＹｅｓ）には、ステップＳ４１の処理に戻り、同じ宛先に、装置状態取得要求を再度送信する。
【００４４】
ステップＳ４６では、装置状態処理部１２６は、種別処理部１２７に指示することで、次に装置状態取得要求を送信することのできる装置が存在するか否かを判断させる（Ｓ４６）。例えば、種別処理部１２７は、装置状態取得要求を未送信の他の装置の情報が、種別検知情報１４０に格納されている場合には、次に装置状態取得要求を送信することのできる装置が存在すると判断する。そして、装置状態処理部１２６は、そのような装置が存在する場合（ステップＳ４６でＹｅｓ）には、ステップＳ４７の処理に進み、そのような装置が存在しない場合（ステップＳ４６でＮｏ）には、ステップＳ４８の処理に進む。
【００４５】
ステップＳ４７では、装置状態処理部１２６は、種別処理部１２７に、次に装置状態取得要求を送信する装置を選択させ、ステップＳ４1の処理に戻り、選択された装置を宛先として、装置状態取得要求を送信する処理を実行する。例えば、種別処理部１２７は、装置状態取得要求を未送信の装置のうち、優先度の最も高い装置を選択する。このとき、装置状態処理部１２６は、装置状態情報を送信してこなかった装置の優先度を下げるように、種別処理部１２７に指示する。このような指示を受けた種別処理部１２７は、記録装置１０７に記録されている種別検知情報１４０において、装置状態情報を送信してこなかった装置のＩＰアドレスがＩＰアドレス欄１１４に格納されている行の優先度欄１４２に格納されている優先度の値を、この優先度で示される順序が遅くなるように更新する。例えば、種別処理部１２７は、この優先度の値から所定の値（例えば、「１」）を減算する。
【００４６】
ステップＳ４８では、装置状態処理部１２６は、画面制御部１２１に指示することにより、モニタ１３０に、処理が完了しない旨の表示を行わせる。
【００４７】
なお、装置状態処理部１２６は、図３に示すように、ネットワーク１３１にデジタル放送受信装置１００が新規に接続された場合のほか、図示しない入力部又はネットワークカード１１０を介して、ユーザからの指示を受けた場合に、図９に示す装置状態取得要求を送信し、装置状態情報を受信する処理を開始する。
【００４８】
次に、装置状態情報を受信した際のデジタル放送受信装置１００での処理について説明する。デジタル放送受信装置１００は、ネットワーク１３１に接続され、かつ、既に稼働している他の装置から、装置状態情報を受信することにより、デジタル放送受信装置１００は、自身に必要な情報であって、既に稼働している他の装置が保持している情報を取得することができる。例えば、他の装置が保持している情報として、設定情報があり、デジタル放送受信装置１００の放送受信制御部１２２は、このような設定情報を取得して、自身の設定に反映させることが可能となる。
【００４９】
このような設定情報の１つとして、例えば、初期設定時に必要なチャンネルスキャン情報がある。デジタル放送受信装置１００では、設置時等に、チャンネルスキャンを行うことで、地上デジタル放送のチャンネルスキャン情報を取得するが、一旦取得されたチャンネルスキャン情報が変更されることはほとんどなく、デジタル放送受信装置１００は、保存されているチャンネルスキャン情報を元にチャンネルの選局を行う。従って、ネットワーク１３１内に既にチャンネルスキャン情報を保持している他の装置が存在する場合、デジタル放送受信装置１００は、この他の装置からチャンネルスキャン情報を取得することで、チャンネルスキャンを実行する手間と時間が不要となる。
【００５０】
図７に示されているように、装置状態情報１５０では、チャンネルスキャン情報の取得の有無が示されるため、デジタル放送受信装置１００の放送受信制御部１２２は、チャンネルスキャン情報を既に取得している装置に対して、チャンネルスキャン情報の取得要求を送信する処理を行うことで、当該装置が有するチャンネルスキャン情報を取得することができる。図１０〜１２は、このようにして取得することのできるチャンネルスキャン情報の一例を示す概略図である。
【００５１】
また、このような設定情報の１つとして、例えば、デジタル放送受信装置１００の設置後にユーザにより設定されるユーザ設定情報がある。ユーザ設定情報には、例えば、デジタル放送受信装置１００の設置場所、音量、明るさ、字幕設定、音声多重設定、デジタル放送受信装置１００が録画機能を持つ場合の録画モード設定、ネットワークアクセス制限の設定、インターネット接続時のアクセスポイント等を示す情報が含まれる。図１３は、ユーザ設定情報の一例を示す概略図である。
【００５２】
図１３のユーザ設定情報に示すように、デジタル放送受信装置１００には多くの設定値があり、デジタル放送受信装置１００の工場出荷時には、これらの設定値には、通常、初期値が設定されている。これらの設定値は、通常、ユーザにより設定変更が可能である。そこで、図７に示されているように、装置状態情報１５０では、ユーザ設定が初期値から変更されているか否かが示されるため、デジタル放送受信装置１００の放送受信制御部１２２は、ユーザ設定情報の設定値がユーザにより既に変更されている装置に対して、ユーザ設定情報の取得要求を送信する処理を行うことで、当該装置が有するユーザ設定情報を取得することができる。このように、デジタル送受信装置１００は、他の装置からユーザ設定情報を取得することができるため、デジタル放送受信装置１００のユーザは、改めて細かな設定を再度行う必要がなくなる。
【００５３】
さらに、このような設定情報の１つとして、例えば、放送局のロゴ情報がある。地上デジタル放送の場合、放送局のロゴ情報は、放送信号から取得され、格納される情報である。そこで、図７に示されているように、装置状態情報１５０では、ロゴ情報の取得の有無が示されるため、デジタル放送受信装置１００の放送受信制御部１２２は、ロゴ情報を既に取得している装置に対して、ロゴ情報の取得要求を送信する処理を行うことで、当該装置が有するロゴ情報を取得することができる。このように、他の装置からロゴ情報を取得することができるため、デジタル放送受信装置１００では、放送信号からロゴ情報を取得するために必要となる一定期間の受信を行うことなく、ロゴ表示が可能となる。
【００５４】
さらにまた、このような設定情報の１つとして、例えば、番組情報がある。地上デジタル放送では、ＥＩＴ（Ｅｖｅｎｔ  Ｉｎｆｏｒｍａｔｉｏｎ  Ｔａｂｌｅ）とよばれる番組情報も放送波とともに送信されている。番組情報を取得するためには、一定時間放送波を受信する必要がある。そこで、図７に示されているように、装置状態情報１５０では、番組情報の取得の有無が示されるため、デジタル放送受信装置１００の装置状態処理部１２６は、番組情報が既に取得されている装置に対して、番組情報の取得要求を送信する処理を行うことで、当該装置が有する番組情報を取得することができる。このため、デジタル放送受信装置１００では、他の装置から番組情報を取得することで、番組情報を取得するために放送波を受信する一定の時間を必要とせず、番組情報を表示することができる。
【００５５】
しかしながら、番組情報は、時刻とともに変化するものであり、また、例えば、スポーツ番組の実況中継の延長による時間の変更等、番組が急に変更されるものでもある。このため、デジタル放送受信装置１００は、常に最新の番組情報を取得する必要がある。デジタル放送受信装置１００は、他の装置から取得した番組情報を使用することで、すぐに番組表を表示することができるが、番組情報の更新は必要である。従って、設定情報がいつ更新されたのかは、このような情報を取得したデジタル放送受信装置１００において重要なデータとなる。そのため、デジタル放送受信装置１００の放送受信制御部１２２は、設定情報に含まれている情報の更新日時をリスト化した更新情報を記録装置１０７に記憶させておく。
【００５６】
図１４は、更新情報１６０の構成を示す概略図である。更新情報１６０は、テーブル形式の情報であり、設定情報欄１６１と、取得日時欄１６２と、更新日時欄１６３とを有する。
設定情報欄１６１は、設定情報に含まれる各々の情報を識別するための識別情報を格納する。例えば、設定情報に含まれる各々の情報を識別するための識別情報としては、各々の情報の情報名が用いられる。
取得日時欄１６２は、設定情報欄１６１で識別される情報が取得された年、月、日及び時間を示す情報を格納する。
更新日時欄１６３は、設定情報欄１６１で識別される情報が最後に更新された年、月、日及び時間を示す情報を格納する。
【００５７】
そして、設定情報を送信する送信側のデジタル放送受信装置１００が設定情報に含まれている情報の取得要求を受けた場合に、送信側の放送受信制御部１２２は、設定情報を受信する受信側のデジタル放送受信装置１００に更新情報を送信する処理を行うことで、受信側の放送受信制御部１２２は、受信された更新情報に基づいて、取得が必要な情報を選択することができる。そして、受信側の放送受信制御部１２２は、取得が必要な情報として選択された情報の取得要求を、送信側のデジタル放送受信装置１００に再度送信する。再度取得要求を受信した、送信側の放送受信制御部１２２は、要求された情報を送信する処理を行う。以上のように構成することで、受信側のデジタル放送受信装置１００は、更新情報１６０に基づいて、必要な情報のみを取得することができる。
【００５８】
また、複数のデジタル放送受信装置１００がネットワーク１３１に接続されている場合、装置状態処理部１２６は、複数のデジタル放送受信装置１００から更新情報１６０を取得することで、必要な情報が最後に更新されたデジタル放送受信装置１００から、必要な情報を取得することもできる。
【００５９】
なお、デジタル放送受信装置１００の放送受信制御部１２２は、チャンネルスキャン情報、ユーザ設定情報、ロゴ情報又は番組情報の取得要求を送信する処理を行う際に、装置状態情報１５０に含まれている電源状態情報１５１を確認して、電源オフ又はスタンバイとなっている場合には、さらに別の装置に装置状態取得要求を送信して、これらの情報を取得するように構成されていてもよい。また、デジタル放送受信装置１００の放送受信制御部１２２は、電源状態情報１５１は電源オンを示しているが、稼働状態情報１５２がＣＰＵ１０８の使用率の高いことを示している場合等、稼働状態情報１５２が処理の実行に支障があることを示している場合には、さらに別の装置に装置状態取得要求を送信して、装置状態情報を取得するように構成されていてもよい。
【００６０】
実施の形態２．
図１に示すように、実施の形態２に係るデジタル放送受信装置２００は、実施の形態１に係るデジタル放送受信装置１００と同様に構成されている。但し、実施の形態２に係るデジタル放送受信装置２００は、ＣＰＵ１０８が記録装置１０７に記憶されているソフトウェアを実行することにより実現される制御部での処理において、実施の形態１に係るデジタル放送受信装置１００と異なっている。
【００６１】
図２に示すように、実施の形態２における制御部２２０は、画面制御部１２１と、放送受信制御部２２２と、稼働設定状態取得部１２３と、電源制御部１２４と、電源状態取得部１２５と、装置状態処理部２２６と、種別処理部１２７とを備える。実施の形態２における制御部２２０は、放送受信制御部２２２及び装置状態処理部２２６において、実施の形態１における制御部１２０と異なっている。なお、稼働設定状態取得部１２３、電源状態取得部１２５及び装置状態処理部２２６は、装置状態取得処理部２２８を構成する。
【００６２】
実施の形態２における放送受信制御部２２２は、実施の形態１と同様の処理を実行するほか、ネットワークカード１１０で受信された画像データを取得する。画像データの取得は、ＨＴＴＰ（ＨｙｐｅｒＴｅｘｔ  Ｔｒａｎｓｆｅｒ  Ｐｒｏｔｏｃｏｌ）及びＦＴＰ（Ｆｉｌｅ  Ｔｒａｎｓｆｅｒ  Ｐｒｏｔｏｃｏｌ）等のプロトコルに従って行われればよい。また、図１５に示すように、例えば、デジタル放送受信装置１００Ａは、画像データを、ネットワーク１３１に接続された他のデジタル放送受信装置１００Ｂから取得してもよく、また、ネットワーク１３１に接続されたカメラ装置１７０から取得してもよい。
そして、放送受信制御部２２２は、取得された画像データをデコーダ１０４にデコードさせ、基準となる画像データ、例えば、前回までに取得された画像データとの差異を検出する。差異が検出された場合には、放送受信制御部２２２は、画面制御部１２１に指示して、モニタ１３０にデコード後の画像を表示させる。
【００６３】
また、放送受信制御部２２２は、装置状態情報１５０を参照して、取得された画像データを表示することのできる装置、例えば、電源オン状態であり、かつ、静止画デコード機能及び画面モニタ表示機能が有効である装置に対して、差異が検出された画像の画像データ及び当該画像の表示要求を送信する処理を実行する。ここで、放送受信制御部２２２は、表示要求の送信には、ＵＰｎＰ（Ｕｎｉｖｅｒｓａｌ  Ｐｌｕｇ  ａｎｄ  Ｐｌａｙ）で規定されるＳＯＡＰ（Ｓｉｍｐｌｅ  Ｏｂｊｅｃｔ  Ａｃｃｅｓｓ  Ｐｒｏｔｏｃｏｌ）を使用することもでき、また、そのほかのネットワーク間のリモートプロシージャコールを使用することもできる。なお、種別検知情報１４０にモデルＩＤを追加して格納しておくことで、放送受信制御部２２２は、表示要求の送信先を、特定のモデルＩＤの装置だけにすることもできる。
【００６４】
さらに、放送受信制御部２２２は、ネットワークカード１１０がネットワーク１３１に接続された他の装置から画像データ及び画像の表示要求を受信した場合には、画面制御部１２１に指示して、モニタ１３０に受信された画像データの画像を表示させる。
【００６５】
さらにまた、放送受信制御部２２２は、装置状態情報１５０を参照して、取得された画像データを保存することのできる装置、例えば、電源オン状態であり、かつ、画像保存機能が有効である装置に対して、差異が検出された画像の画像データ及び当該画像の保存要求を送信する処理を実行する。
【００６６】
さらにまた、放送受信制御部２２２は、ネットワークカード１１０がネットワーク１３１に接続された他の装置から画像データ及び画像の保存要求を受信した場合には、メモリ１０６又は記録装置１０７に、受信された画像データを保存させる。
【００６７】
なお、放送受信制御部２２２は、ネットワークカード１１０がネットワーク１３１に接続された他の装置から表示要求又は保存要求を受信した場合には、表示要求又は保存要求に対応する処理を実行した後、その処理結果を当該他の装置に通知する。
【００６８】
実施の形態２における装置状態処理部２２６は、実施の形態１と同様の処理を実行するほか、放送受信制御部２２２において差異が検出された場合に、記録装置１０７に記録されている種別検知情報１４０に登録されている装置に対して、装置状態取得要求を送信して、装置状態情報１５０を取得する処理を実行する。ここでは、種別検知情報１４０に登録されている全ての装置に装置状態取得要求を送信することが望ましい。
【００６９】
以上に記載した実施の形態１及び２においては、図６に示す種別検知情報１４０が、記録装置１０７に記録されているが、図６に示す種別検知情報１４０の代わりに、例えば、図１６に示す種別検知情報２４０が記録されていてもよい。
図１６は、種別検知情報２４０の構成を示す概略図である。種別検知情報２４０は、シーケンシャル番号欄２４１と、ＭＡＣアドレス欄２４２と、ＩＰアドレス欄２４３とを有し、優先度欄が設けられていない点において、図６に示す種別検知情報１４０と異なっている。なお、図１６に示す種別検知情報２４０が用いられる場合には、装置状態取得要求を送信する順序は、シーケンシャル番号順とすればよい。
【符号の説明】
【００７０】
１００，２００：デジタル放送受信装置、  １０１：チューナ、  １０２：復調部、  １０３：デマルチプレクサ、  １０４：デコーダ、  １０５：エンコーダ、  １０６：メモリ、  １０７：記録装置、  １０８：ＣＰＵ、  １０９：電源装置、  １１０：ネットワークカード、  １１１：Ｉ／Ｆ、  １１２：バス、  １１３：デジタル放送受信実行部、  １２０，２２０：制御部、  １２１：画面制御部、  １２２，２２２：放送受信制御部、  １２３：稼働設定状態取得部、  １２４：電源制御部、  １２５：電源状態取得部、  １２６，２２６：装置状態処理部、  １２７：種別処理部、  １２８，２２８：装置状態取得処理部、  １３０：モニタ。
【図１】
0005709555.tif 000002
【図２】
0005709555.tif 000003
【図３】
0005709555.tif 000004
【図４】
0005709555.tif 000005
【図５】
0005709555.tif 000006
【図６】
0005709555.tif 000007
【図７】
0005709555.tif 000008
【図８】
0005709555.tif 000009
【図９】
0005709555.tif 000010
【図１０】
0005709555.tif 000011
【図１１】
0005709555.tif 000012
【図１２】
0005709555.tif 000013
【図１３】
0005709555.tif 000014
【図１４】
0005709555.tif 000015
【図１５】
0005709555.tif 000016
【図１６】
0005709555.tif 000017